【手続補正書】
【提出日】平成26年11月6日(2014.11.6)
【手続補正１】
【補正対象書類名】明細書
【補正対象項目名】発明の名称
【補正方法】変更
【補正の内容】
【発明の名称】情報処理装置、情報処理システム、その制御方法およびそのプログラム
【手続補正２】
【補正対象書類名】明細書
【補正対象項目名】０００７
【補正方法】変更
【補正の内容】
【０００７】
そこで本発明は、コンテンツデータが対応付けられたテーマが所定数に達している場合に、当該テーマを含むテンプレートに対応するインセンティブを取得する仕組みを提供することを目的とする。
【手続補正３】
【補正対象書類名】明細書
【補正対象項目名】０００８
【補正方法】変更
【補正の内容】
【０００８】
本発明は、ユーザ情報の入力を受け付けるクライアント端末と、コンテンツデータを対応付けるテーマを複数含むテンプレートとユーザ情報とを対応付けて記憶する情報処理装置と、を含む情報処理システムであって、前記情報処理装置は、前記コンテンツデータを前記テーマに対応付けて記憶する指示を受け付ける指示受付手段と、前記指示受付手段により前記指示を受け付けた場合に、指示を受け付けたコンテンツデータを前記テンプレートに含まれるテーマと対応付けて記憶する記憶手段と、前記記憶手段において前記コンテンツデータが対応付けられたテーマが所定数に達している場合に、当該テーマを含むテンプレートに対応するユーザ情報が入力されたクライアント端末に送信される、当該テンプレートに対応したインセンティブを記憶するインセンティブ記憶手段とを備え、前記クライアント端末は、前記コンテンツデータが対応付けられたテーマが所定数に達している場合に、前記インセンティブ記憶手段に記憶された、前記コンテンツデータが対応付けられたテーマが所定数に達しているテンプレートであって当該クライアント端末において入力されたユーザ情報に対応するテンプレートのインセンティブを取得するインセンティブ取得手段と、前記インセンティブ取得手段で取得した前記インセンティブを再生する再生手段と、を備えることを特徴とする。
【手続補正４】
【補正対象書類名】明細書
【補正対象項目名】０００９
【補正方法】変更
【補正の内容】
【０００９】
本発明によれば、コンテンツデータが対応付けられたテーマが所定数に達している場合に、当該テーマを含むテンプレートに対応するインセンティブを取得する仕組みを提供することが可能になる。
【手続補正５】
【補正対象書類名】特許請求の範囲
【補正対象項目名】全文
【補正方法】変更
【補正の内容】
【特許請求の範囲】
【請求項１】
ユーザ情報の入力を受け付けるクライアント端末と、コンテンツデータを対応付けるテーマを複数含むテンプレートとユーザ情報とを対応付けて記憶する情報処理装置と、を含む情報処理システムであって、
前記情報処理装置は、
前記コンテンツデータを前記テーマに対応付けて記憶する指示を受け付ける指示受付手段と、
前記指示受付手段により前記指示を受け付けた場合に、指示を受け付けたコンテンツデータを前記テンプレートに含まれるテーマと対応付けて記憶する記憶手段と、
前記記憶手段において前記コンテンツデータが対応付けられたテーマが所定数に達している場合に、当該テーマを含むテンプレートに対応するユーザ情報が入力されたクライアント端末に送信される、当該テンプレートに対応したインセンティブを記憶するインセンティブ記憶手段と
を備え、
前記クライアント端末は、
前記コンテンツデータが対応付けられたテーマが所定数に達している場合に、前記インセンティブ記憶手段に記憶された、前記コンテンツデータが対応付けられたテーマが所定数に達しているテンプレートであって当該クライアント端末において入力されたユーザ情報に対応するテンプレートのインセンティブを取得するインセンティブ取得手段と、
前記インセンティブ取得手段で取得した前記インセンティブを再生する再生手段と、
を備えることを特徴とする情報処理システム。
【請求項２】
前記記憶手段は更に、前記コンテンツデータを前記テンプレートに含まれるテーマと対応付けて記憶した日時を記憶し、
前記インセンティブ記憶手段は、前記コンテンツデータが対応付けられたテーマが所定数に達するまでの期間に応じて前記クライアント端末に送信される複数のインセンティブを記憶し、
前記インセンティブ取得手段は、前記複数のインセンティブのうち、前記コンテンツデータが対応付けられたテーマが所定数に達するまでの期間に応じた前記インセンティブを取得することを特徴とする請求項１に記載の情報処理システム。
【請求項３】
前記クライアント端末は、
前記コンテンツデータが対応付けられたテーマが所定数に達している場合に、前記インセンティブを取得する指示を受け付けるための操作受付部を、ユーザからの操作の受付が可能な状態にして表示画面に表示する表示手段と、
を備え、
前記インセンティブ取得手段は、前記表示手段で表示された前記操作受付部に対して前記インセンティブを取得する旨の操作を受け付けた場合に、前記インセンティブを取得することを特徴とする請求項１又は２に記載の情報処理システム。
【請求項４】
前記コンテンツデータは画像データであり、
前記インセンティブは、前記所定数に達したテーマに対応付けられた画像データを順に再生する動画であって、
前記再生手段は、前記インセンティブ取得手段で取得したインセンティブである前記動画を再生することを特徴とする請求項１乃至３のいずれか１項に記載の情報処理システム。
【請求項５】
ユーザ情報の入力を受け付けるクライアント端末と、コンテンツデータを対応付けるテーマを複数含むテンプレートとユーザ情報とを対応付けて記憶する情報処理装置と、を含む情報処理システムの制御方法であって、
前記情報処理装置において、
前記コンテンツデータを前記テーマに対応付けて記憶する指示を受け付ける指示受付ステップと、
前記指示受付ステップにより前記指示を受け付けた場合に、指示を受け付けたコンテンツデータを前記テンプレートに含まれるテーマと対応付けて記憶する記憶ステップと、
前記記憶ステップにおいて前記コンテンツデータが対応付けられたテーマが所定数に達している場合に、当該テーマを含むテンプレートに対応するユーザ情報が入力されたクライアント端末に送信される、当該テンプレートに対応したインセンティブを記憶するインセンティブ記憶ステップと
を含み、
前記クライアント端末において、
前記コンテンツデータが対応付けられたテーマが所定数に達している場合に、前記インセンティブ記憶ステップに記憶された、前記コンテンツデータが対応付けられたテーマが所定数に達しているテンプレートであって当該クライアント端末において入力されたユーザ情報に対応するテンプレートのインセンティブを取得するインセンティブ取得ステップと、
前記インセンティブ取得ステップで取得した前記インセンティブを再生する再生ステップと、
を含むことを特徴とする情報処理システムの制御方法。
【請求項６】
ユーザ情報の入力を受け付けるクライアント端末と、コンテンツデータを対応付けるテーマを複数含むテンプレートとユーザ情報とを対応付けて記憶する情報処理装置と、を含む情報処理システムで実行可能なプログラムであって、
前記情報処理装置を、
前記コンテンツデータを前記テーマに対応付けて記憶する指示を受け付ける指示受付手段と、
前記指示受付手段により前記指示を受け付けた場合に、指示を受け付けたコンテンツデータを前記テンプレートに含まれるテーマと対応付けて記憶する記憶手段と、
前記記憶手段において前記コンテンツデータが対応付けられたテーマが所定数に達している場合に、当該テーマを含むテンプレートに対応するユーザ情報が入力されたクライアント端末に送信される、当該テンプレートに対応したインセンティブを記憶するインセンティブ記憶手段として機能させ、
前記クライアント端末を、
前記コンテンツデータが対応付けられたテーマが所定数に達している場合に、前記インセンティブ記憶手段に記憶された、前記コンテンツデータが対応付けられたテーマが所定数に達しているテンプレートであって当該クライアント端末において入力されたユーザ情報に対応するテンプレートのインセンティブを取得するインセンティブ取得手段と、
前記インセンティブ取得手段で取得した前記インセンティブを再生する再生手段として機能させることを特徴とする情報処理システムのプログラム。
【請求項７】
ユーザ情報の入力を受け付ける機能と、情報処理装置に記憶されたコンテンツデータが対応付けられたテーマが所定数に達している場合に、前記テーマを複数含むテンプレートであって、前記コンテンツデータが対応付けられたテーマが所定数に達している、前記入力を受け付けたユーザ情報に対応するテンプレートのインセンティブを取得するインセンティブ取得手段と、前記インセンティブ取得手段で取得した前記インセンティブを再生する再生手段と、を備えるクライアント端末と通信可能な、前記テンプレートとユーザ情報とを対応付けて記憶する情報処理装置であって、
前記コンテンツデータを前記テーマに対応付けて記憶する指示を受け付ける指示受付手段と、
前記指示受付手段により前記指示を受け付けた場合に、指示を受け付けたコンテンツデータを前記テンプレートに含まれるテーマと対応付けて記憶する記憶手段と、
前記記憶手段において前記コンテンツデータが対応付けられたテーマが所定数に達している場合に、前記インセンティブ取得手段で、当該テーマを含むテンプレートに対応するユーザ情報が入力されたクライアント端末に当該テンプレートに対応したインセンティブを取得させるべく送信するインセンティブ送信手段と
を備えることを特徴とする情報処理装置。
【請求項８】
ユーザ情報の入力を受け付ける機能と、情報処理装置に記憶されたコンテンツデータが対応付けられたテーマが所定数に達している場合に、前記テーマを複数含むテンプレートであって、前記コンテンツデータが対応付けられたテーマが所定数に達している、前記入力を受け付けたユーザ情報に対応するテンプレートのインセンティブを取得するインセンティブ取得手段と、前記インセンティブ取得手段で取得した前記インセンティブを再生する再生手段と、を備えるクライアント端末と通信可能な、前記テンプレートとユーザ情報とを対応付けて記憶する情報処理装置の制御方法であって、
前記コンテンツデータを前記テーマに対応付けて記憶する指示を受け付ける指示受付ステップと、
前記指示受付ステップにより前記指示を受け付けた場合に、指示を受け付けたコンテンツデータを前記テンプレートに含まれるテーマと対応付けて記憶する記憶ステップと、
前記記憶ステップにおいて前記コンテンツデータが対応付けられたテーマが所定数に達している場合に、前記取得手段で、当該テーマを含むテンプレートに対応するユーザ情報が入力されたクライアント端末に当該テンプレートに対応したインセンティブを取得させるべく送信するインセンティブ送信ステップと
を含むことを特徴とする情報処理装置の制御方法。
【請求項９】
ユーザ情報の入力を受け付ける機能と、情報処理装置に記憶されたコンテンツデータが対応付けられたテーマが所定数に達している場合に、前記テーマを複数含むテンプレートであって、前記コンテンツデータが対応付けられたテーマが所定数に達している、前記入力を受け付けたユーザ情報に対応するテンプレートのインセンティブを取得するインセンティブ取得手段と、前記インセンティブ取得手段で取得した前記インセンティブを再生する再生手段と、を備えるクライアント端末と通信可能な、前記テンプレートとユーザ情報とを対応付けて記憶する情報処理装置で実行可能なプログラムであって、
前記情報処理装置を、
前記コンテンツデータを前記テーマに対応付けて記憶する指示を受け付ける指示受付手段と、
前記指示受付手段により前記指示を受け付けた場合に、指示を受け付けたコンテンツデータを前記テンプレートに含まれるテーマと対応付けて記憶する記憶手段と、
前記記憶手段において前記コンテンツデータが対応付けられたテーマが所定数に達している場合に、前記インセンティブ取得手段で、当該テーマを含むテンプレートに対応するユーザ情報が入力されたクライアント端末に当該テンプレートに対応したインセンティブを取得させるべく送信するインセンティブ送信手段として機能させることを特徴とする情報処理装置のプログラム。